(57)【要約】【課題】ローカルのデータベースシステムを整備しなくとも配合データを容易に取得でき、さらに配合データの更新が容易にできる色票及びその管理方法、該色票を用いた調色塗料作成方法を提供する。【解決手段】色見本部分の周辺もしくは裏面に、該見本色の配合データが書き込まれた非接触ＩＣタグを設けてなる色票を、データの送受信が可能なアンテナ部を具備する収納体に収納し、配合変更の発生した１種以上の色見本の非接触ＩＣタグに対して、その変更配合データを、前記収納体のアンテナ部を介して送信し、該見本色の配合データを更新する色票管理方法。調色対象となる色見本を有する色票を選択し、その色票に貼り付けられた非接触ＩＣタグを、受信機を具備する計量調合装置の受信機に近づけて、該非接触ＩＣタグに書き込まれた塗料配合データを該計量調合装置に読み込ませ、該計量調合装置の指示に従って原色塗料を計量し、混合して調色塗料を作成する。【選択図】図１
2006177739.tif 000002
【特許請求の範囲】
【請求項１】
色見本部分の周辺もしくは裏面に、該見本色の配合データが書き込まれた非接触ＩＣタグを設けてなることを特徴とする色票。
【請求項２】
請求項１記載の色票を収納する収納体であって、データの送受信が可能なアンテナ部を具備する収納体。
【請求項３】
請求項１記載の色票において、配合変更の発生した１種以上の見本色の非接触ＩＣタグに対して、その変更配合データを送信し、該見本色の配合データを更新することを特徴とする色票管理方法。
【請求項４】
請求項１記載の色票を、データの送受信が可能なアンテナ部を具備する収納体に収納し、配合変更の発生した１種以上の色見本の非接触ＩＣタグに対して、その変更配合データを、前記収納体のアンテナ部を介して送信し、該見本色の配合データを更新することを特徴とする色票管理方法。
【請求項５】
変更配合データが、配合データを管理するサーバから、該サーバと通信回線を介して接続された通信端末により送信される請求項３又は４記載の色票管理方法。
【請求項６】
請求項１記載の色票を用いる調色塗料配合方法であって、調色対象となる色見本を有する色票を選択し、その色票に貼り付けられた非接触ＩＣタグを、受信機を具備する計量調合装置の受信機に近づけて、該非接触ＩＣタグに書き込まれた塗料配合データを該計量調合装置に読み込ませ、該計量調合装置の指示に従って原色塗料を計量し、混合して調色塗料を作成することを特徴とする調色塗料作成方法。
【請求項７】
請求項６記載の調色塗料作成方法に用いる計量調合装置であっって、非接触ＩＣタグに書き込まれた塗料配合データを受信可能な受信機、該受信機によって読み込まれた塗料配合データを表示可能なモニタ、計量部及び制御部を具備してなる計量調合装置。
【発明の詳細な説明】
【技術分野】
【０００１】
本発明は、ローカルのデータベースシステムを整備しなくとも配合データを容易に取得でき、さらに配合データの更新が容易にできる色票及びその管理方法、該色票を用いた調色塗料作成方法に関する。
【背景技術】
【０００２】
従来、自動車塗膜の補修用塗料などの調色に際して、色を合わせるべき色見本に対応した調色塗料候補配合を得る方法としては、メーカー指定色番号及び塗料配合が記載された色見本を束ねた色票帳から色を合わせるべき色見本を選択し、その色見本に記載された塗料配合を調色塗料候補配合とする方法がある。この方法においては、色見本に塗料配合を記載するので色見本が大きくなり色票帳が嵩張り、また、色見本の追加及び／又は更新に際して、色見本に配合を記載し直す必要があるので、一組の色見本と配合の組合せの維持、色見本に更新のための配合を掲載する経費が発生し、また、部分的に更新し色見本を組合せるための作業が発生するといった問題があった。また、新たにメーカー指定色番号を付けるに当たって使用が廃止された塗色の番号と同じ番号が付けられたり、色の異なる内板色と外板色とで同じ番号が付けられたりすることがあるため、メーカー指定色番号には、同じ番号でも異なった塗色を表すことがあり混乱を招き易いといった問題もあった。
【０００３】
そこで上記問題を解決できる塗料配合検索のための色票として、特許文献１にはメーカー指定色番号が付された各塗色に対応した、重複することのない塗色コード番号が付された特定の色票を含む塗料配合検索用色票シートが提案されている。また特許文献２には、塗料配合組成データがコード化された２次元バーコードが印刷されたカラーカードを用いた塗料の調色支援システムが提案されている。
【０００４】
【特許文献１】特開２００３−４３９２８号公報
【特許文献２】特開２００４−２６９７４５号公報
【発明の開示】
【発明が解決しようとする課題】
【０００５】
しかしながら、特許文献１の色票を用いた計量調色では、該色票シート群から、メーカー指定色番号の色票シートを取出し、色票シートの中から作業色票を選択して、その塗色コード番号及び作業色票番号に基づいて、その番号に対応する塗料配合を各番号に対応して別途保存された塗料配合データベースの中から検索するものであり、ローカルあるいはリモートにデータベースシステムを構築しておく必要があった。
【０００６】
また特許文献２に開示の２次元バーコードが印刷されたカラーカードでは、原色塗料の見直しなどにより配合の変更がなされると使用できなくなり、配合データの更新があるたびに新たにバーコードを印刷して配布し、貼り替えてもらう必要があるという問題があった。
【０００７】
本発明の目的は、ローカルのデータベースシステムを整備しなくとも配合データを容易に取得でき、さらに配合データの更新が容易にできる色票及びその管理方法、該色票を用いた調色塗料作成方法を提供することにある。
【課題を解決するための手段】
【０００８】
本発明は、
１．色見本部分の周辺もしくは裏面に、該見本色の配合データが書き込まれた非接触ＩＣタグを設けてなることを特徴とする色票、
２．１項記載の色票を収納する収納体であって、データの送受信が可能なアンテナ部を具備する収納体、
３．１項記載の色票において、配合変更の発生した１種以上の見本色の非接触ＩＣタグに対して、その変更配合データを送信し、該見本色の配合データを更新することを特徴とする色票管理方法、
４．１項記載の色票を、データの送受信が可能なアンテナ部を具備する収納体に収納し、配合変更の発生した１種以上の色見本の非接触ＩＣタグに対して、その変更配合データを、前記収納体のアンテナ部を介して送信し、該見本色の配合データを更新することを特徴とする色票管理方法、
５．変更配合データが、配合データを管理するサーバから、該サーバと通信回線を介して接続された通信端末により送信される３又は４項記載の色票管理方法、
６．１項記載の色票を用いる調色塗料配合方法であって、調色対象となる色見本を有する色票を選択し、その色票に貼り付けられた非接触ＩＣタグを、受信機を具備する計量調合装置の受信機に近づけて、該非接触ＩＣタグに書き込まれた塗料配合データを該計量調合装置に読み込ませ、該計量調合装置の指示に従って原色塗料を計量し、混合して調色塗料を作成することを特徴とする調色塗料作成方法、
７．６項記載の調色塗料作成方法に用いる計量調合装置であっって、非接触ＩＣタグに書き込まれた塗料配合データを受信可能な受信機、該受信機によって読み込まれた塗料配合データを表示可能なモニタ、計量部及び制御部を具備してなる計量調合装置、
に関する。
【発明の効果】
【０００９】
本発明によれば、ローカルのデータベースシステムを整備しなくとも配合データを容易に取得でき、さらに配合データの更新が可能であり、また調色作業者が簡単に且つ正確に調色塗料を作成することができる。本発明の色票は塗料、インク、成形体用着色剤、釉薬などの用途に有用であり、特に自動車補修用塗料の調色作業に非常に有用である。
【発明を実施するための最良の形態】
【００１０】
以下、本発明の実施の形態について詳述する。図１は、本発明の一実施形態を示す説明図である。
【００１１】
図１に示す色票１は、プラスチック製（樹脂製）支持板２に色見本である色紙３が複数色分貼り付けられている。色紙の側面などの周辺や裏面にはメーカー指定色番号などが記載されている。本発明では、このような色票の色見本部分の周辺もしくは裏面に、該見本色の塗料配合データが書き込まれた非接触ＩＣタグを貼り付ける又は印刷する、支持板に埋め込むなどして設けるものであり、図１に示す色票１では各色見本３の支持板２の裏側に非接触ＩＣタグ４が貼り付けられている。隣接する複数の非接触ＩＣタグ間の距離やプラスチック製支持板の厚みは、隣接する複数の非接触ＩＣタグ間の干渉を防ぐために、該非接触ＩＣタグの使用周波数域によって最適な間隔を設定する点から、通常、１ｍｍ以上、好ましくは１〜２０ｍｍ、特に好ましくは２〜５ｍｍの範囲であることが好適である。支持板は、無線通信を妨害するものでなければプラスチック製だけでなく、紙、木、金属製であっても良い。
【００１２】
非接触ＩＣタグは、ＲＦＩＤ（Radio Frequency Identification：無線を用いた自動認識）技術を利用して、非接触で情報の読み取り及び書き込みが可能なものであり、情報を書き込むためのＩＣ（集積回路）チップと、外部アンテナと無線通信を行うためのアンテナとを内蔵するものであり、電源を内蔵して自ら電波を発信するアクティブタグ、無電源で外部の発信機からの電磁誘導により通信を行うパッシブタグなどがある。
【００１３】
図１に示す色票１で使用されている非接触ＩＣタグ４はパッシブタグであり、そのメモリーには、あらかじめ決められたフォーマットで、原色色番号、原色名及び原色配合量等の塗料の配合データや、相当する見本色の名称等が夫々書き込まれている。
【００１４】
上記色票１においては、原色の統廃合などにより、配合変更等が発生した場合、夫々に単独で該配合変更の発生した見本色の非接触ＩＣタグに対して、そのアンテナに変更配合データを送信すると、該変更配合データを受信し、ＩＣチップ内の該見本色の配合データを更新することができる。本発明ではさらに、図１に示すように、データの送受信が可能なデータ送受信アンテナ５を具備する収納ケース６に色票１を収納し管理することが、複数の色票の塗料配合データを同時に書き換えられるので望ましい。
【００１５】
上記のように各色票１を上記収納ケースに収納し、原色の統廃合などにより、配合変更の発生した１種以上の見本色の非接触ＩＣタグに対して、その変更配合データを、前記収納ケースに具備されたデータ送受信アンテナを介して送信し、該見本色の配合データを更新する。本発明の管理方法では、データをまとめて読み出し、特定の非接触ＩＣタグのデータのみを書き換えることができるので、色票を保管する収納ケースに入れたまま、対象の見本色の非接触ＩＣタグに書き込まれている塗料配合データを書き換えることができる。
【００１６】
上記収納ケース６の周囲には、例えば図１に示すように、更新データの受信機８や送信機７を配置し、インターネットな通信回線を介して塗料配合データベースが構築されたサーバ９から定期的に更新された配合変更データなどの配合情報を取得し、更新された非接触ＩＣタグの情報のみを書き換える。これらは物理的に連結されている必要はなく、データの送受信が可能な機能を有するものであれば、それぞれ物理的に独立していても良い。
【００１７】
本発明では、上記の通り管理された色票の収納ケースから、調色対象となる色見本を有する色票を選択し、その色票に貼り付けられた非接触ＩＣタグを、受信機を具備する計量調合装置の受信機に近づけて、該非接触ＩＣタグに書き込まれた塗料配合データを該計量調合装置に読み込ませ、該計量調合装置の指示に従って原色塗料を計量し、混合して調色塗料を作成することができる。
【００１８】
上記計量調合装置は、通常、非接触ＩＣタグに書き込まれた塗料配合データを受信可能な受信機、該受信機によって読み込まれた塗料配合データを表示可能なモニタ、計量部及び制御部（データ処理部を含む）等を具備するものが適当である。
【００１９】
図１のように、受信機１１に非接触ＩＣタグを近づけると、該非接触ＩＣタグのメモリー内の配合データが読み出され、これを通信線を介して計量調合装置１０内のデータ処理部に送り、計量調合装置１０では送られてきたデータをチェックサムなどにより、誤りが無いことを確認した後、配合データに基づいて原色ごとに順次配合量がモニタに表示される。
【００２０】
上記計量調合装置を使って、例えば自動車補修業者においては、以下の手順で補修塗料配合を取得することができる。業者は、入庫した事故車のメーカー、型名色番号から前述の色票を選び出し、その色票と事故車の色を、太陽光あるいは太陽光に近い照明の下で比較し、最も色の近い色見本を選択する。選択された色見本を前述の受信機に近接させることにより、該色見本に貼り付けられた非接触ＩＣタグのメモリー内部に記録された配合情報が計量調合装置のモニタに表示される。業者は、順次、モニタに表示される原色塗料を、モニタに指示された量配合することにより、目的の配合の補修塗料を得ることができる。また指示された量配合して得た補修塗料を必要に応じ、さらに微調色することもできる。
【図面の簡単な説明】
【００２１】
【図１】本発明の一実施形態を示す説明図である。
【図１】
2006177739.tif 000003